(57)【特許請求の範囲】
【請求項１】
表面に反射防止層が形成された表示パネルを備える表示装置であって、
前記表示パネルの表面には、第１の光学特性を有する第１反射防止層のみが形成された第１反射防止領域と、第２の光学特性を有する第２反射防止層のみが形成された第２反射防止領域と、前記第１反射防止層と前記第２反射防止層とが重なった重畳部が配置された第３反射防止領域とが設けられ、
前記第３反射防止領域は、前記第１反射防止領域と前記第２反射防止領域との境界部分に配置され、且つ、階調模様となっていることを特徴とする表示装置。
【請求項２】
前記重畳部は、前記第３反射防止領域の複数箇所に配置され、
平面視で前記第１反射防止領域から前記第２反射防止領域に向かう方向に沿って、前記重畳部の幅寸法と間隔とのうちの少なくとも一方が段階的に変化することを特徴とする請求項１に記載の表示装置。
【請求項３】
前記表示パネルの裏面には加飾層が形成された加飾領域が設けられ、
前記第３反射防止領域は、平面視で前記加飾領域と重なる位置に配置されていることを特徴とする請求項１又は請求項２に記載の表示装置。
【請求項４】
前記加飾領域の平面視で前記第３反射防止領域と重なる領域では、平面視で前記第１反射防止領域から前記第２反射防止領域に向かう方向に沿って、前記加飾層の色調と濃淡とのうちの少なくとも一方が段階的に変化することを特徴とする請求項３に記載の表示装置。
【請求項５】
前記加飾領域の平面視で前記第３反射防止領域と重なる領域には、所定の色に配色された加飾部が複数箇所に配置され、
平面視で前記第１反射防止領域から前記第２反射防止領域に向かう方向に沿って、前記加飾部の幅寸法と間隔とのうちの少なくとも一方が段階的に変化することを特徴とする請求項３又は請求項４に記載の表示装置。
【請求項６】
平面視で前記第１反射防止領域から前記第２反射防止領域に向かう方向に沿って、前記加飾部の前記重畳部と重なる部分の幅寸法と、前記重畳部と重ならない部分の幅寸法との比率が段階的に変化することを特徴とする請求項５に記載の表示装置。
【請求項７】
前記第１反射防止領域を取り囲むように前記第２反射防止領域が形成され、
前記表示パネルの裏面側の、平面視で前記第１反射防止領域と重なる位置には、光学素子が配置されていることを特徴とする請求項１ないし請求項６のいずれかに記載の表示装置。
【請求項８】
前記第１反射防止層が近赤外線用の反射防止層であり、前記第２反射防止層が可視光用の反射防止層であり、
前記光学素子は、近赤外線用の発光素子と近赤外線用の撮像素子とを有していることを特徴とする請求項７に記載の表示装置。
【発明の詳細な説明】
【技術分野】
【０００１】
本発明は、表示装置に関し、特に、表示パネルの表面に反射防止層が形成された表示装置に関する。
【背景技術】
【０００２】
携帯情報端末やカーナビゲーション装置等の電子機器に使用される表示装置として、視線検出やジェスチャ入力等のような表示内容に合わせた光学式の入力の検出を可能にするために、画像や情報等を表示するための表示パネルとカメラ等の光学素子とを近接配置したものが実用化されている。このような表示装置に関しては、特許文献１や特許文献２等が開示されている。以下、表示パネルと光学素子とが近接配置された従来の表示装置とそれを備えた電子機器について、図８及び図９を用いて説明する。
【０００３】
図８は、従来の表示装置に関する第１の説明図であり、特許文献１に係るモニタ２１１Ｃ（表示装置）とそれを備えたカーナビゲーション装置２１１（電子機器）の構成を示している。図９は、従来の表示装置に関する第２の説明図であり、特許文献２に係る表示装置３０２とそれを備えた携帯電話機３０３（電子機器）の構成を示している。図９（ａ）は、携帯電話機３０３の外観を示し、図９（ｂ）は、携帯電話機３０３が備える表示装置３０２の構成を示している。
【０００４】
特許文献１に係るカーナビゲーション装置２１１は、図８に示すように、運転者が操作するための操作部２１１Ａと、装置の中枢を担う処理を行う本体部２１１Ｂと、画像出力用のモニタ２１１Ｃと、図示しない通信用のインタフェースと、視線検出用のカメラ２２６とを備えている。モニタ２１１Ｃには情報表示用の表示パネルが設けられており、カメラ２２６はモニタ２１１Ｃの表示パネルの上に近接配置されている。
【０００５】
特許文献２に係る携帯電話機３０３は、図９に示すように、表示装置３０２と、光学素子であるカメラ部３６０とを備えている。表示装置３０２には、座標検出機能を有する表示パネルである座標入力装置３０１が取り付けられている。座標入力装置３０１は、第１の透光性基板３１０と第２の透光性基板３２０とを有して構成される。第１の透光性基板３１０の表面には座標検出用の電極である電極３１２ａが形成されている。また、第２の透光性基板３２０の表面には、座標検出用の電極である電極３２２ａが形成されており、第１の透光性基板３１０の表面側に絶縁層３４０を介して対向配置されている。
【０００６】
第２の透光性基板３２０の中央部付近は表示画面となり、第２の透光性基板３２０の外周部には所定の色で加飾された加飾印刷層３２３（加飾層）が設けられている。また、第１の透光性基板３１０及び第２の透光性基板３２０の外周部の所定の位置には複数の空間部３２７が設けられている。そして、座標入力装置３０１の裏側であって複数の空間部３２７のうちの１つと対応する位置に前述したカメラ部３６０が配置されている。このように表示パネルの裏側にカメラ等の光学素子が配置された表示装置は、電子機器の見映えを良くする等の観点から、近年需要が高まっている。
【０００７】
尚、特許文献１や特許文献２では開示されていないが、このような表示装置の表示パネルの表面には、通常、外光の反射を抑制して表示画面の視認性を良くするための反射防止層と呼ばれる層が形成されている。反射防止層の原理や構成等は特許文献３等に開示されているので詳細な説明は省略するが、反射防止層は、樹脂材料や無機材料等でできた薄膜層であり、所定の波長の光に対して所定の光学特性（反射率や屈折率等）を有している。
【先行技術文献】
【特許文献】
【０００８】
【特許文献１】特開２０００−３２２６９９号公報
【特許文献２】特開２０１１−５３７３８号公報
【特許文献３】特開２００４−１６７８２７号公報
【発明の概要】
【発明が解決しようとする課題】
【０００９】
近年、前述したような表示装置において、夜間使用等に対応するために近赤外線用の光学素子が表示パネルの裏側に配置されたものが実用化されている。このような表示装置では、表示画面や加飾層に対応した表示パネルの光学特性（可視光用の光学特性）と、カメラ等の光学素子に対応した表示パネルの光学特性（近赤外線用の光学特性）とで最適の光学特性が異なるようになる。そして、このような場合には、表示パネルの表面において、カメラ等の光学素子に対応する領域には近赤外線の波長を透過する光学特性を有する反射防止層を形成し、表示画面や加飾層に対応する領域には可視光の波長を透過する光学特性を有する反射防止層を形成することが望ましい。
【００１０】
しかしながら、表示パネルの表面に光学特性の異なる２つの反射防止領域を設けた場合には、２つの反射防止領域の境界部分で２つの反射防止層が重なり、どちらの反射防止層の光学特性とも異なる光学特性（透過波長と反射波長）となる。そのため、境界部分では２つの反射防止層とは異なる波長の光が反射され、人の眼には２つの反射防止層とは色合いが異なって見えてしまう。このような光学特性の境界部分での急激な変化によって境界部分が目立ち易くなり、表示パネルの見映えが悪くなるという課題が有った。
【００１１】
本発明は、このような従来技術の実情に鑑みてなされたもので、その目的は、反射防止領域の境界部分を目立ち難くして表示パネルの見映えを良くすることができる表示装置を提供することにある。
【課題を解決するための手段】
【００１２】
この課題を解決するために、請求項１に記載の表示装置は、表面に反射防止層が形成された表示パネルを備える表示装置であって、前記表示パネルの表面には、第１の光学特性を有する第１反射防止層のみが形成された第１反射防止領域と、第２の光学特性を有する第２反射防止層のみが形成された第２反射防止領域と、前記第１反射防止層と前記第２反射防止層とが重なった重畳部が配置された第３反射防止領域とが設けられ、前記第３反射防止領域は、前記第１反射防止領域と前記第２反射防止領域との境界部分に配置され、且つ、階調模様となっていることを特徴とする。
【００１３】
この構成の表示装置では、第３反射防止領域が階調模様となっているので、第３反射防止領域の光学特性を段階的に変化させることができる。そして、第３反射防止領域の光学特性を段階的に変化させることによって、第１反射防止領域と第２反射防止領域との境界部分での光学特性の急激な変化を抑制することができる。その結果、第１反射防止領域と第２反射防止領域との境界部分を目立ち難くして表示パネルの見映えを良くすることができる。
【００１４】
請求項２に記載の表示装置は、前記重畳部は、前記第３反射防止領域の複数箇所に配置され、平面視で前記第１反射防止領域から前記第２反射防止領域に向かう方向に沿って、前記重畳部の幅寸法と間隔とのうちの少なくとも一方が段階的に変化することを特徴とする。
【００１５】
この構成の表示装置では、重畳部が第３反射防止領域の複数箇所に配置され、第１反射防止領域から第２反射防止領域に向かう方向に沿って、重畳部の幅寸法と間隔とのうちの少なくとも一方が段階的に変化するので、反射防止層の種類が少なくても容易に第３反射防止領域の光学特性を段階的に変化させることができる。その結果、容易に第１反射防止領域と第２反射防止領域との境界部分を目立ち難くすることができ、容易に表示パネルの見映えを良くすることができるようになる。
【００１６】
請求項３に記載の表示装置は、前記表示パネルの裏面には加飾層が形成された加飾領域が設けられ、前記第３反射防止領域は、平面視で前記加飾領域と重なる位置に配置されていることを特徴とする。
【００１７】
この構成の表示装置では、第３反射防止領域が平面視で加飾領域と重なる位置に配置されているので、第１反射防止領域と第２反射防止領域との境界部分を加飾層によって更に目立ち難くすることができる。その結果、表示パネルの見映えを更に良くすることができる。
【００１８】
請求項４に記載の表示装置は、前記加飾領域の平面視で前記第３反射防止領域と重なる領域では、平面視で前記第１反射防止領域から前記第２反射防止領域に向かう方向に沿って、前記加飾層の色調と色の濃さとのうちの少なくとも一方が段階的に変化することを特徴とする。
【００１９】
この構成の表示装置では、加飾領域の平面視で第３反射防止領域と重なる領域で、加飾層の色調と色の濃さとのうちの少なくとも一方が段階的に変化するので、第１反射防止領域と第２反射防止領域との境界部分での光学特性の急激な変化を更に抑制することができる。その結果、第１反射防止領域と第２反射防止領域との境界部分を更に目立ち難くすることができ、表示パネルの見映えを更に良くすることができる。
【００２０】
請求項５に記載の表示装置は、前記加飾領域の平面視で前記第３反射防止領域と重なる領域には、所定の色に配色された加飾部が複数箇所に配置され、平面視で前記第１反射防止領域から前記第２反射防止領域に向かう方向に沿って、前記加飾部の幅寸法と間隔とのうちの少なくとも一方が段階的に変化することを特徴とする。
【００２１】
この構成の表示装置では、加飾部が加飾領域の平面視で第３反射防止領域と重なる領域の複数箇所に配置され、第１反射防止領域から第２反射防止領域に向かう方向に沿って、加飾部の幅寸法と間隔とのうちの少なくとも一方が段階的に変化するので、第１反射防止領域と第２反射防止領域との境界部分での光学特性の急激な変化を更に抑制することができる。その結果、第１反射防止領域と第２反射防止領域との境界部分を更に目立ち難くすることができ、表示パネルの見映えを更に良くすることができる。
【００２２】
請求項６に記載の表示装置は、平面視で前記第１反射防止領域から前記第２反射防止領域に向かう方向に沿って、前記加飾部の前記重畳部と重なる部分の幅寸法と、前記重畳部と重ならない部分の幅寸法との比率が段階的に変化することを特徴とする。
【００２３】
この構成の表示装置では、第１反射防止領域から第２反射防止領域に向かう方向に沿って、加飾部の重畳部と重なる部分の幅寸法と、重畳部と重ならない部分の幅寸法との比率が段階的に変化するので、第１反射防止領域と第２反射防止領域との境界部分での光学特性の急激な変化を更に抑制することができる。その結果、第１反射防止領域と第２反射防止領域との境界部分を更に目立ち難くすることができ、表示パネルの見映えを更に良くすることができる。
【００２４】
請求項７に記載の表示装置は、前記第１反射防止領域を取り囲むように前記第２反射防止領域が形成され、前記表示パネルの裏面側の、平面視で前記第１反射防止領域と重なる位置には、光学素子が配置されていることを特徴とする。
【００２５】
この構成の表示装置では、表示パネルの裏面側に配置された光学素子を利用して、表示内容に合わせた光学式の入力が可能になる。しかも、表示パネルの裏面側に光学素子が配置することによって、光学素子を目立ち難くして表示パネルの見映えを良くすることができる。更に、表示パネルの裏面側の、平面視で第１反射防止領域と重なる位置に光学素子を配置することによって、第１反射防止領域の光学特性を光学素子に合わせて設定することができ、光学素子の性能を引き出し易くなる。
【００２６】
請求項８に記載の表示装置は、前記第１反射防止層が近赤外線用の反射防止層であり、前記第２反射防止層が可視光用の反射防止層であり、前記光学素子は、近赤外線用の発光素子と近赤外線用の撮像素子とを有していることを特徴とする。
【００２７】
この構成の表示装置では、第１反射防止層が近赤外線用の反射防止層であり、光学素子に近赤外線用の発光素子と近赤外線用の撮像素子とが含まれるので、夜間使用時等に近赤外線を利用して表示パネルの視認性を低下させることなく光学式の入力を行うことができる。しかも、この構成の表示装置では、第１反射防止領域と第２反射防止領域との境界部分を目立ち難くすることができるので、この構成の表示装置のように第１反射防止層の光学特性と第２反射防止層の光学特性とが大きく異なる場合に好適である。
【発明の効果】
【００２８】
本発明によれば、反射防止領域の境界部分を目立ち難くして表示パネルの見映えを良くすることができる表示装置を提供することができる。
【図面の簡単な説明】
【００２９】
【図１】本発明の第１実施形態に係る表示装置の構成を示す説明図である。
【図２】本発明の第１実施形態に係る表示パネルの構成を示す説明図である。
【図３】本発明の第１実施形態に係る表示パネルの断面構造を示す説明図である。
【図４】本発明の第１実施形態に係る反射防止層の配置を示す説明図である。
【図５】本発明の第１実施形態に係る加飾層の配置を示す説明図である。
【図６】本発明の第２実施形態に係る表示パネルの断面構造を示す説明図である。
【図７】本発明の第２実施形態に係る加飾層の配置を示す説明図である。
【図８】従来の表示装置の構成を示す第１の説明図である。
【図９】従来の表示装置の構成を示す第２の説明図である。
【発明を実施するための形態】
【００３０】
以下、本発明の実施形態について図１ないし図７を参照しながら説明する。尚、以下の説明において方向を説明する際には便宜的に、Ｘ１を左、Ｘ２を右、Ｙ１を前、Ｙ２を後、Ｚ１を上、Ｚ２を下として説明を進める。また、本発明の特徴を判り易くするために、表示装置１や表示装置１０１の各部材の構造を適宜簡略化し、表示装置１や表示装置１０１の各部材の寸法を適宜変更している。
【００３１】
図１は、本発明の第１実施形態に係る表示装置１の構成を示す説明図である。図１（ａ）は、表示装置１を前方から見た場合の模式図であり、図１（ｂ）は、表示装置１を右側から見た場合の模式図である。図２は、本発明の第１実施形態に係る表示パネル１０の構成を示す説明図である。図２（ａ）は、表示パネル１０を前方から見た場合の模式図である。図２（ａ）における斜線部分は、反射防止層２０が形成された領域を示している。図２（ｂ）は、表示パネル１０を後方から見た場合の模式図である。図２（ｂ）における斜線部分は、加飾層３０が形成された領域を示している。
【００３２】
図３は、本発明の第１実施形態に係る表示パネル１０の断面構造を示す説明図である。図３（ａ）は、図２（ａ）の断面線Ａ１−Ａ１に対応した表示パネル１０の断面模式図であり、図３（ｂ）は、図３（ａ）に示す右側の第３反射防止領域１５ｃ付近を拡大した断面模式図である。図４は、本発明の第１実施形態に係る反射防止層２０の配置を示す説明図である。図４は、図２（ａ）の仮想線Ｌ１（一点鎖線）で囲まれた領域を拡大した模式図である。図４において、互いに交差する右下がりの斜線と左下がりの斜線とで描かれた部分は重畳部２３が形成された領域を示し、右下がりの斜線のみで描かれた部分は第２反射防止層２２のみが形成された領域を示し、それ以外の部分は第１反射防止層２１のみが形成された領域を示している。図５は、図２（ｂ）の仮想線Ｌ２（一点鎖線）で囲まれた領域を拡大した表示パネル１０の模式図である。図５における斜線部分は、加飾層３０が形成された領域を示している。
【００３３】
図６は、本発明の第２実施形態に係る表示パネル１１０の断面構造を示す説明図である。図６（ａ）は、図３（ａ）と同じ断面位置に対応した表示パネル１１０の断面模式図であり、図６（ｂ）は、図６（ａ）に示す右側の第３反射防止領域１５ｃ付近を拡大した断面模式図である。図７は、図５と同じ領域に対応した表示パネル１１０の模式図である。図７における斜線部分は、加飾部３１が形成された領域を示している。
【００３４】
［第１実施形態］
まず、本発明の第１実施形態に係る表示装置１の構成について、図１ないし図５を用いて説明する。本発明の第１実施形態に係る表示装置１は、携帯情報端末やカーナビゲーション装置等の電子機器に使用される表示装置であり、図１に示すように、表示パネル１０と、表示部４０と、光学素子５０とを備えている。
【００３５】
表示パネル１０は、ガラスや合成樹脂等の材質でできた略長方形の透光性を有する板状部材であり、図１に示すように、表面１１（前側の面）と、裏面１２（後側の面）とを有している。表示パネル１０の中央部付近には、画像や情報等が表示される略長方形の表示画面１３が設けられている。表示パネル１０の外周部の所定の位置には、近赤外線の光を透過させる透光部１４が設けられている。
【００３６】
また、表示パネル１０の表面１１には、図１及び図２に示すように、樹脂等の材質でできた太陽光や人工照明光等の外光の反射を抑制するための層である反射防止層２０が形成されている。以下、表示パネル１０の表面１１の反射防止層２０が形成された領域を反射防止領域１５と略称する。反射防止領域１５は、図３及び図４に示すように、第１反射防止領域１５ａと、第２反射防止領域１５ｂと、第３反射防止領域１５ｃという３種類の領域で構成されている。
【００３７】
第１反射防止領域１５ａは、近赤外線用の第１の光学特性（反射率や屈折率等）を有する第１反射防止層２１のみが形成された領域であり、前方から見て透光部１４と重なる位置に設けられている。第２反射防止領域１５ｂは、可視光用の第２の光学特性を有する第２反射防止層２２のみが形成された領域であり、前方から見て第１反射防止領域１５ａを隙間を開けて取り囲むように設けられている。第３反射防止領域１５ｃは、第１反射防止領域１５ａの周りを取り囲む環状の重畳部２３と非重畳部２４とが外方に向かって交互に形成された領域であり、第１反射防止領域１５ａと第２反射防止領域１５ｂとの境界部分に配置されている。
【００３８】
重畳部２３は、第２反射防止層２２の上に第１反射防止層２１が重ねられた部分であり、第３反射防止領域１５ｃの複数箇所に設けられている。複数の重畳部２３は、それぞれ外径の異なる略正方形の環状の形状をしており、前方から見て外側の重畳部２３が内側の重畳部２３を隙間を開けて取り囲むように配置されている。非重畳部２４は、第２反射防止層２２のみが形成された部分であり、外側の重畳部２３と内側の重畳部２３との間の隙間の部分が非重畳部２４となっている。
【００３９】
尚、第３反射防止領域１５ｃは、重畳部２３の内側から外側に向かう方向に沿った幅寸法Ｗ１（以下、重畳部２３の幅寸法Ｗ１と略称）と、非重畳部２４の内側から外側に向かう方向に沿った幅寸法、すなわち、隣り合う２つの重畳部２３の間の間隔Ｄ１（以下、重畳部２３の間隔Ｄ１と略称）とが段階的に変化するような階調模様となっている。本実施形態では、前方から見て第１反射防止領域１５ａから第２反射防止領域１５ｂ（内側から外側）に向かう方向に沿って、重畳部２３の幅寸法Ｗ１が段階的に小さくなり、重畳部２３の間隔Ｄ１が段階的に大きくなる。
【００４０】
表示パネル１０の裏面１２の所定の位置には、図１及び図２に示すように、所定の色で加飾された加飾層３０が形成されている。以下、表示パネル１０の裏面１２の加飾層３０が形成された領域を加飾領域１６と略称し、加飾層３０が形成されていない領域を非加飾領域１７と略称する。加飾領域１６は、前方から見て表示画面１３を取り囲むように表示パネル１０の裏面１２の外周部に設けられている。非加飾領域１７は、前方から見て表示画面１３と重なる位置と、透光部１４と重なる位置とにそれぞれ設けられている。
【００４１】
加飾領域１６は、図３及び図５に示すように、階調領域１６ａと、非階調領域１６ｂという２種類の領域で構成されている。階調領域１６ａは、加飾層３０の色調と色の濃さとが段階的に変化する領域であり、加飾領域１６のうちの、前方から見て第３反射防止領域１５ｃと重なる部分が階調領域１６ａとなっている。そして、階調領域１６ａでは、前方から見て第１反射防止領域１５ａから第２反射防止領域１５ｂに向かう方向に沿って、加飾層３０の色調と色の濃さとが段階的に変化する。階調領域１６ａでの加飾層３０の色調や色の濃さの変化は、前方から見た場合の第１反射防止領域１５ａと第２反射防止領域１５ｂとの色の差を低減させるような変化となっている。非階調領域１６ｂは、加飾層３０の色調や色の濃さが段階的に変化しない領域であり、加飾領域１６のうちの、階調領域１６ａ以外の部分が非階調領域１６ｂとなっている。
【００４２】
表示部４０は、液晶方式の表示素子を備えた画像表示用のユニットであり、図１に示すように、表示パネル１０の表示画面１３の後方に配置されている。そして、表示部４０は、図示しない駆動回路に駆動されて各種の画像や情報等を表示画面１３に表示させている。
【００４３】
光学素子５０は、視線検出やジェスチャ入力等のような光学式の入力を検出するためのセンサ素子であり、図１に示すように、表示パネル１０の透光部１４の後方に配置されている。本実施形態では、光学素子５０は、発光素子５１と撮像素子５２とを組み合わせたセンサ素子となっている。発光素子５１は近赤外線用の発光ダイオードであり、撮像素子５２は近赤外線用のカメラである。
【００４４】
そして、発光素子５１が発した近赤外線の光が表示パネル１０の透光部１４を通過して外部に放射され、放射された光の反射光が表示パネル１０の透光部１４を通過して撮像素子５２に入光するようになっている。表示装置１は、このような構成となっている。
【００４５】
次に、本実施形態の効果について説明する。本実施形態の表示装置１では、第３反射防止領域１５ｃが階調模様となっているので、第３反射防止領域１５ｃの光学特性を段階的に変化させることができる。そして、第３反射防止領域１５ｃの光学特性を段階的に変化させることによって、第１反射防止領域１５ａと第２反射防止領域１５ｂとの境界部分での光学特性の急激な変化を抑制することができる。その結果、第１反射防止領域１５ａと第２反射防止領域１５ｂとの境界部分を目立ち難くして表示パネル１０の見映えを良くすることができる。
【００４６】
また、本実施形態の表示装置１では、重畳部２３が第３反射防止領域１５ｃの複数箇所に配置され、前方から見て第１反射防止領域１５ａから第２反射防止領域１５ｂ（内側から外側）に向かう方向に沿って、重畳部２３の幅寸法Ｗ１と重畳部２３の間隔Ｄ１とが段階的に変化するので、反射防止層２０の種類が少なくても容易に第３反射防止領域１５ｃの光学特性を段階的に変化させることができる。その結果、容易に第１反射防止領域１５ａと第２反射防止領域１５ｂとの境界部分を目立ち難くすることができ、容易に表示パネル１０の見映えを良くすることができるようになる。
【００４７】
また、本実施形態の表示装置１では、第３反射防止領域１５ｃが前方から見て加飾領域１６と重なる位置に配置されているので、第１反射防止領域１５ａと第２反射防止領域１５ｂとの境界部分を加飾層３０によって更に目立ち難くすることができる。その結果、表示パネル１０の見映えを更に良くすることができる。
【００４８】
また、本実施形態の表示装置１では、加飾領域１６の階調領域１６ａ（前方から見て第３反射防止領域１５ｃと重なる領域）で、加飾層３０の色調と色の濃さとが段階的に変化するので、第１反射防止領域１５ａと第２反射防止領域１５ｂとの境界部分での光学特性の急激な変化を更に抑制することができる。その結果、第１反射防止領域１５ａと第２反射防止領域１５ｂとの境界部分を更に目立ち難くすることができ、表示パネル１０の見映えを更に良くすることができる。
【００４９】
また、本実施形態の表示装置１では、表示パネル１０の裏面１２側に配置された光学素子５０を利用して、表示内容に合わせた光学式の入力が可能になる。しかも、表示パネル１０の裏面１２側に光学素子５０を配置することによって、光学素子５０を目立ち難くして表示パネル１０の見映えを良くすることができる。更に、表示パネル１０の裏面１２側の、平面視で第１反射防止領域１５ａと重なる位置に光学素子５０を配置することによって、第１反射防止領域１５ａの光学特性を光学素子５０に合わせて設定することができ、光学素子５０の性能を引き出し易くなる。
【００５０】
また、本実施形態の表示装置１では、第１反射防止層２１が近赤外線用の反射防止層２０であり、光学素子５０に近赤外線用の発光素子５１と近赤外線用の撮像素子５２とが含まれるので、夜間使用時等に近赤外線を利用して表示パネル１０の視認性を低下させることなく光学式の入力を行うことができる。しかも、表示装置１では、第１反射防止層２１が近赤外線用の反射防止層であり、第２反射防止層２２が可視光用の反射防止層であるので、第１反射防止層２１の光学特性と第２反射防止層２２の光学特性とが大きく異なるが、第１反射防止領域１５ａと第２反射防止領域１５ｂとの境界部分を目立ち難くすることができるので、第１反射防止層２１の光学特性と第２反射防止層２２の光学特性とが大きく異なる場合に好適である。
【００５１】
［第２実施形態］
次に、本発明の第２実施形態に係る表示装置１０１の構成について、図６及び図７を用いて説明する。尚、本実施形態において、前述した第１実施形態と同一の構成である場合、同一符号を付して詳細な説明は省略する。
【００５２】
本発明の第２実施形態に係る表示装置１０１は、図６及び図７に示すように、第１実施形態の表示装置１の表示パネル１０が表示パネル１１０に置き換わったものである。表示パネル１１０は、第１実施形態の表示パネル１０と同様に、裏面１２と表面１１とを有している。そして、表示パネル１１０の表面１１には反射防止領域１５が設けられており、反射防止領域１５は、第１反射防止領域１５ａと、第２反射防止領域１５ｂと、第３反射防止領域１５ｃという３種類の領域で構成されている。また、表示パネル１１０の裏面１２には加飾領域１６と非加飾領域１７とが設けられており、加飾領域１６は、階調領域１６ａと、非階調領域１６ｂという２種類の領域で構成されている。そして、加飾領域１６のうちの、前方から見て第３反射防止領域１５ｃと重なる部分が階調領域１６ａとなっている。
【００５３】
但し、本実施形態では、表示パネル１０と異なり、階調領域１６ａは、所定の色に着色され階調領域１６ａの複数箇所に配置された加飾部３１と、加飾部３１が配置されていない非加飾部３２とが混在する領域となっている。複数の加飾部３１は、それぞれ外径の異なる略正方形の環状の形状をしており、前方から見て外側の加飾部３１が内側の加飾部３１を隙間を開けて取り囲むように配置されている。そして、外側の加飾部３１と内側の加飾部３１との間の隙間の部分が、非加飾部３２となっている。
【００５４】
尚、階調領域１６ａは、加飾部３１の内側から外側に向かう方向に沿った幅寸法Ｗ２（以下、加飾部３１の幅寸法Ｗ２と略称）と、非加飾部３２の内側から外側に向かう方向に沿った幅寸法、すなわち、隣り合う２つの加飾部３１の間の間隔Ｄ２（以下、加飾部３１の間隔Ｄ２と略称）とが段階的に変化する階調模様となっている。本実施形態では、前方から見て第１反射防止領域１５ａから第２反射防止領域１５ｂ（内側から外側）に向かう方向に沿って、加飾部３１の幅寸法Ｗ２が段階的に大きくなり、加飾部３１の間隔Ｄ２が段階的に小さくなる。
【００５５】
また、加飾部３１は、前方から見て加飾部３１の少なくとも一部が重畳部２３と重なるように階調領域１６ａに配置されている。そして、階調領域１６ａでは、加飾部３１の重畳部２３と重なる部分の幅寸法Ｗ３（内側から外側に向かう方向に沿った幅寸法）に対する、加飾部３１の重畳部２３との重ならない部分の幅寸法Ｗ４（内側から外側に向かう方向に沿った幅寸法）の比率が段階的に変化する。本実施形態では、前方から見て第１反射防止領域１５ａから第２反射防止領域１５ｂに向かう方向に沿って、幅寸法Ｗ３に対する幅寸法Ｗ４の比率が段階的に大きくなる。
【００５６】
次に、本実施形態の効果について説明する。本実施形態の表示装置１０１では、加飾部３１が階調領域１６ａの複数箇所に配置され、前方から見て第１反射防止領域１５ａから第２反射防止領域１５ｂに向かう方向に沿って、加飾部３１の幅寸法Ｗ２と加飾部３１の間隔Ｄ２とが段階的に変化するので、第１反射防止領域１５ａと第２反射防止領域１５ｂとの境界部分での光学特性の急激な変化を更に抑制することができる。その結果、第１反射防止領域１５ａと第２反射防止領域１５ｂとの境界部分を更に目立ち難くすることができ、表示パネル１０の見映えを更に良くすることができる。
【００５７】
また、本実施形態の表示装置１０１では、前方から見て第１反射防止領域１５ａから第２反射防止領域１５ｂに向かう方向に沿って、加飾部３１の重畳部２３と重なる部分の幅寸法Ｗ３と、重畳部２３と重ならない部分の幅寸法Ｗ４との比率が段階的に変化するので、第１反射防止領域１５ａと第２反射防止領域１５ｂとの境界部分での光学特性の急激な変化を更に抑制することができる。その結果、第１反射防止領域１５ａと第２反射防止領域１５ｂとの境界部分を更に目立ち難くすることができ、表示パネルの見映えを更に良くすることができる。
【００５８】
以上、本発明の実施形態について説明してきたが、本発明は上記の実施形態に限定されず、本発明の要旨を逸脱しない限りにおいて適宜変更することができる。
【００５９】
例えば、本発明の実施形態において、所定の機能を実現できるのであれば、表示装置１や表示装置１０１の構成や寸法等を適宜変更しても構わない。例えば、表示装置１や表示装置１０１は光学素子５０を備えておらず、図示しない電子機器側の光学素子が表示パネル１０や表示パネル１１０の後方に配置されていても構わない。また、表示装置１や表示装置１０１は、座標入力用の透明電極等の前述した以外の部材を更に備えていても構わない。
【００６０】
また、本発明の実施形態において、所定の機能を実現できるのであれば、重畳部２３の数や形状や寸法を適宜変更しても構わない。例えば、第３反射防止領域１５ｃに小さい円形や方形の重畳部２３を多数配置し、重畳部２３の外径や隣り合う重畳部２３の間隔を段階的に変化させたりしても構わない。また、所定の機能を実現できるのであれば、重畳部２３の幅寸法Ｗ１と重畳部２３の間隔Ｄ１とのうちの一方だけを段階的に変化させても構わない。また、重畳部２３が第１反射防止層２１の上に第２反射防止層２２が重ねられた部分であり、非重畳部２４が第１反射防止層２１のみが形成された部分であっても構わない。
【００６１】
また、本発明の実施形態において、所定の機能を実現できるのであれば、第３反射防止領域１５ｃ全体を覆うような形状の１つの重畳部２３を第３反射防止領域１５ｃに配置し、重畳部２３の前後方向の厚さ寸法を段階的に変化させて第３反射防止領域１５ｃを階調領域としても構わない。また、第３反射防止領域１５ｃ全体を覆うような形状の１つの重畳部２３を第３反射防止領域１５ｃに配置し、重畳部２３の前後方向の厚さが厚い部分と薄い部分とを交互に形成し、重畳部２３の前後方向の厚さが厚い部分と薄い部分とうちの少なくとも一方の幅寸法や間隔を段階的に変化させて第３反射防止領域１５ｃを階調領域としても構わない。
【００６２】
また、本発明の第１実施形態において、所定の機能を実現できるのであれば、加飾層３０の色調と色の濃さとのうちの一方だけを段階的に変化させたりしても構わない。また、重畳部２３の幅寸法Ｗ１や重畳部２３の間隔Ｄ１だけで表示パネルの見映えを良くすることができるのであれば、加飾層３０の色調や濃淡を段階的に変化させなくても構わない。
【００６３】
また、本発明の第２実施形態において、所定の機能を実現できるのであれば、加飾部３１の数や形状や寸法を適宜変更したりしても構わない。また、所定の機能を実現できるのであれば、加飾部３１の幅寸法Ｗ２と加飾部３１の間隔Ｄ２とのうちの一方だけを段階的に変化させても構わない。また、加飾部３１の幅寸法Ｗ２や加飾部３１の間隔Ｄ２だけで表示パネルの見映えを良くすることができるのであれば、幅寸法Ｗ３と幅寸法Ｗ４との比率を段階的に変化させなくても構わない。
【００６４】
また、本発明の実施形態において、表示部４０は、前述した以外のものであっても舞わない。また、光学素子５０は、発光素子５１と撮像素子５２とのうちのどちらか一方だけであっても構わないし、それ以外の光学素子であっても構わない。また、光学素子５０は、近赤外線用の光学素子でなくても構わない。このような場合でも、光学素子に対応した領域とそれ以外の領域で表示パネルの光学特性が異なるのであれば、前述した効果と同様の効果を得ることができる。
【００６５】
また、本発明の実施形態において、表示装置１や表示装置１０１を、タブレット型の端末やゲーム機等の前述した以外の電子機器に使用しても構わない。そして、使用する電子機器の規格等に合わせて表示装置１や表示装置１０１の向きを適宜変更して使用しても構わない。
【符号の説明】
【００６６】
１  表示装置
１０  表示パネル
１１  表面
１２  裏面
１３  表示画面
１４  透光部
１５  反射防止領域
１５ａ  第１反射防止領域
１５ｂ  第２反射防止領域
１５ｃ  第３反射防止領域
１６  加飾領域
１６ａ  階調領域
１６ｂ  非階調領域
１７  非加飾領域
２０  反射防止層
２１  第１反射防止層
２２  第２反射防止層
２３  重畳部
２４  非重畳部
３０  加飾層
３１  加飾部
３２  非加飾部
４０  表示部
５０  光学素子
５１  発光素子
５２  撮像素子
１０１  表示装置
１１０  表示パネル
【図１】
0006460408.tif 000002
【図２】
0006460408.tif 000003
【図３】
0006460408.tif 000004
【図４】
0006460408.tif 000005
【図５】
0006460408.tif 000006
【図６】
0006460408.tif 000007
【図７】
0006460408.tif 000008
【図８】
0006460408.tif 000009
【図９】
0006460408.tif 000010